(57)【要約】【課題】従来の血圧コンピュータ表示システムでは、２次元表示法により血圧について医学的判定評価の位置付けを加味しての２次元的表示を可能としているが、血圧と密接に係わる因子、即ち血圧のパラメータについては触れられない。【解決手段】血圧２次元表示法での表示平面の原点より同平面に垂直に血圧のパラメータ値をとる座標軸を新たに設けることで、先の平面との間に３次元空間が設定される。同空間に３次元座標（最高血圧値、最低血圧値、パラメータ値）として入力血圧点をとり同血圧が表示される。実際には、パラメータの変化に沿ってこの空間内に２次元表示での血圧座標（最高血圧値、最低血圧値）を連続的にプロットしてゆく作業がコンピュータによって迅速かつ効率的に進められる。これにより血圧の２次元表示法による利点を保持した上でパラメータによって血圧がどの様な変動パターンを示すのかといったことを３次元表示の手法で捉えながら理解し解析することができる。【選択図】図１
2007000581.tif 000002
【特許請求の範囲】
【請求項１】
従来の血圧の２次元表示に対して、同表示法での最高血圧ー最低血圧平面に、その原点より両軸に垂直に第３軸を新たに設けることで３次元空間を設定し、血圧を表示するに当たって、最高血圧値、最低血圧値という血圧を構成する本来の２つの値に加え、血圧のパラメータの値をその第３軸上にとることで、同設定空間内に（最高血圧値、最低血圧値、パラメータ値）を座標とした血圧を表す点を必要個数分、迅速かつ効率的にプロット表示するコンピュータシステム。
【発明の詳細な説明】
【技術分野】
【０００１】血圧は、最高血圧値及び最低血圧値という２つの値の対として単純に表示されるのが一般的であるが、本発明は、血圧に密接に関連し、これをを変動させ得る因子、即ち血圧のパラメータというものの値を血圧の３次元の表示法を用いることにより血圧表示の中にに組み入れることによって、同パラメータによって変動する血圧の有り様、或いは、血圧変動のパターンを立体的なイメージとして捉えることを可能とし、解析に役立てるコンピュータシステムに関する。
【背景技術】
【０００２】従来、血圧変動のコンピュータ表示としては、時刻を横軸にとり最高、最低血圧を縦軸にとって、これらの時間的経過を縦折れ線グラフや棒グラフにて表示する、パラメータとしての時間に対するいわば線形の表示法が一般的で単純にスカラー量を表す手法といえる。血圧の２次元表示法にしてもそのパラメータとしては同じく時間であり、最高血圧ー最低血圧平面上にプロットされる個々の血圧点（以後、当明細書においては、血圧を表示した点のことを「血圧点」と呼ぶこととし図１では、これに記載された中身を塗潰した小円Ｊ１、Ｊ２、Ｊ３がこれに相当する）に時刻別の区別をなす工夫をして表示される（例えば、特許文献１参照。）が、時系列つまりそこでのパラメータを表す手法には、煩雑さがあって理解しづらい。【０００３】
【特許文献１】  特願２００３−３１３２２８号公報の請求項２（特許第３６５６６４２号として登録済みで、同特許権者は当特許出願人と同一。）
【発明の開示】
【発明が解決しようとする課題】
【０００４】以上に述べた従来の技術では、血圧のパラメータとしては、殆ど時間に限定されているのが実際であり、血圧の２次元表示法においてもパラメータとしては時間に限定している。（先述と同様に特許文献１参照。）しかも同表示法では、その表示の手法に理解し安さの点で難点が残った。【０００５】本発明は、この様な従来の構成が有していた不備を解決しようとするものであり、血圧のコンピュータ２次元表示法の特徴、利点を活かしたままで同パラメータが理解し安く表示されることを目的とし、また、パラメータの種類も時間にのみ限定されることなく軸上に目盛れる因子は何でも採用できるという柔軟性を有したコンピュータ表示システムの実現を目的とするものである。
【課題を解決するための手段】
【０００６】そして、本発明は上記目的を達成するために血圧のコンピュータ２次元表示法の最高血圧軸（以後、当明細書においては同軸のことをｘ軸と呼ぶこととする。）ー最低血圧軸（以後、当明細書においては同軸のことをｙ軸と呼ぶこととする。）による平面（以後、当明細書においては同平面のことをｘｙ平面と呼ぶこととする。）の原点より、同平面に垂直に第３の軸（以後、当明細書においては同軸のことをｚ軸と呼ぶこととする。）を設けることにより３次元空間を設定し、この第３軸、即ちｚ軸にパラメータの値をとることで血圧を最高血圧、最低血圧及びそのパラメータの各値による３次元座標（最高血圧値、最低血圧値、パラメータ値）によってプロットされる３次元空間（以後、当明細書においては同３次元空間のことをｘｙｚ空間と呼ぶこととする。）内の点、即ち血圧点として表示したものである。
【発明の効果】
【０００７】本発明は、上述のとおり構成されているので、次に記載する効果を奏する。【０００８】請求項１記載のコンピュータシステムにおいては、３次元表現で血圧を表示するので、パラメータ値の大小や増減と血圧の間にある関係をｘｙｚ空間にて目視的に分かり安く捉えることができ解析に役立つ。【０００９】変化する一連の血圧群を３次元空間内に立体的イメージとして捉えることができて、その変動パターンが理解でき、その変動パターンの解析に役立つ。【００１０】例えば、パラメータとして脈拍を採用した場合を考えてみる。そこで、パラメータ値が大である例を挙げてみる。ここでのパラメータ値＝脈拍数の異常に高い、即ち頻脈となっている代表的な原因として急性大量出血をおこしている場合と、精神的に緊張してたり興奮していたりした場合の２つの状態が挙げられる。前者では、血圧が、最大、最小共低下しているのが一般である。従って、この時３次元血圧表示法においては、ｘｙｚ空間にて血圧点群がｘ、ｙの値が小なる方に、又、ｚ値は大なる方に、つまり血圧点は、ｘｙ平面の原点方向で尚かつｚ軸の値が大なる部位に集合してくることが十分予想される。一方、後者では、血圧が、最大、最小共上昇しているのが一般であるり、ｚ軸の値が大なる部位で、ｘｙ平面の原点から逆に遠ざかる部位へと集合してくることが十分に予想される。この様なパターンをｘｙｚ空間内での立体的な位置付けとしてのイメージで描くことができる。そして、血圧３次元表示でイメージ化されたパターンを読むことが、血圧が高い、低い、又脈拍が速い、遅いの背後に潜んでその特徴或いは異常を生ぜしめている原因を推察するのに有用である。つまりその診断に役立つものとなる。即ち、データとして得られている血圧群を解析するのに役立つ表示がコンピュータ作業によって迅速かつ効率的になされるシステムといえる。【００１１】希望するパラメータが採用でき、同パラメータ値に対する血圧のデータが１個でも得られれば３次元表示が可能であり、表示図としてもより多彩になり、血圧が従来の表示法と異なり立体的イメージを用いて体感できるコンピュータシステムといえる。
【発明を実施するための最良の形態】
【００１２】以下、本発明の実施の形態を血圧パラメータとして時間を用いた場合を例にとって図１に基づいて説明する。【００１３】図において、Ｊ０（塗潰された小円の中心点を指す。以下、Ｊ１、Ｊ２、Ｊ３についても同様。）は、時刻Ｔ０、即ち、最初の測定時刻で時間０に対応する血圧点であり、同じくＪ１は、測定時刻Ｔ１に対応する血圧点である。同様にＪ２、Ｊ３は、測定時刻Ｔ２、Ｔ３に対応する血圧点である。以後同様にＴ４、Ｔ５・・に対応する血圧点が設定される。ところで、Ｊ０のみは、時刻Ｔ０、即ち時間０の対応点であるが故にｘｙ平面上にの点となる。これに対し、それ以外の時刻Ｔ１、Ｔ２、Ｔ３・・に対応する血圧点Ｊ１、Ｊ２、Ｊ３・・では、時間が０以外の実数であるが故にｘｙ平面から脱したｘｙｚ空間内の点となる。尚、時刻Ｔ０、Ｔ１、Ｔ２、Ｔ３・・は図１では等間隔となっている例であるが、これに規定されるものでないことを補足する。【００１４】一方、血圧点Ｊ１、Ｊ２、Ｊ３よりｘｙ平面に降ろした垂線がＬ１、Ｌ２、Ｌ３であり、同垂線の同平面との交点、言い替えれば降ろされた直線Ｌ１、Ｌ２、Ｌ３が同平面に接地する点が、Ｋ１、Ｋ２、Ｋ３である。以後同様に血圧点各々よりｘｙ平面に垂線が降ろされた表示がなされる。そして、ｘｙ平面の点Ｊ０及びこれらの点Ｋ１、Ｋ２、Ｋ３・・各々よりｘ軸には垂線Ｉ０１、Ｉ１１、Ｉ２１、Ｉ３１・・が、ｙ軸には垂線Ｉ０２、Ｉ１２、Ｉ２２、Ｉ３２・・が降ろされ、これら垂線のそれぞれをたどって示されるｘ座標、ｙ座標が、それぞれの血圧点が示す最高血圧値、最低血圧値を与える。又、測定時刻を表すｚ軸上の点Ｔ０、Ｔ１、Ｔ２、Ｔ３、・・と血圧点Ｊ０、Ｊ１、Ｊ２、Ｊ３・・とを線分Ｍ０、Ｍ１、Ｍ２、Ｍ３・・とで結ぶ。これによって、血圧点Ｊ０、Ｊ１、Ｊ２、Ｊ３・・よりそれぞれＭ０、Ｍ１、Ｍ２、Ｍ３・・をたどれば、ｚ軸での座標であるＴ０、Ｔ１、Ｔ２、Ｔ３・・が得られ、各血圧点の測定時刻を与える。ちなみに、Ｍ０をたどって得られるＴ０は、０であり始まりの測定時刻、即ち０の意で原点に位置する。ところで、ｘｙ平面上の点Ｊ０、Ｋ１、Ｋ２、Ｋ３・・は、血圧の２次元表示でｘｙ平面上にプロットされる血圧表示点に他ならず、同３次元表示において、そこからパラメータ（本例では、時間）要因を除した形の表示としても理解でき、全ての血圧点がｘｙ平面上の点となった形で２次元表示図に一致する結果となる。この関係を理解することでも、当然のことながらこの血圧３次元表示法は、これより低次元である２次元表示、線形表示の要素を論理的に包含していることが解り、２次元表示、線形表示における利点を保持したままの機能を有することが言える。
【図面の簡単な説明】
【００１５】
【図１】  本発明においてコンピュータによって出力された表示図
【符号の説明】
【００１６】  ｘ    最高血圧軸、即ち、ｘ軸
ｙ    最低血圧軸、即ち、ｙ軸
ｚ    血圧のパラメータとなる因子（ここでは、因子が時刻の場合を例にとった。）の値を表す軸、即ち、ｚ軸
Ｔ０、Ｔ１、Ｔ２、Ｔ３、Ｔ４、Ｔ５    血圧の測定時刻（ここでのパラメータ因子。）
を意味する目盛り値（実際には具体的数値が示され、単位は採用されたパラメータの単位が付けられる。）
Ｊ０、Ｊ１、Ｊ２、Ｊ３    時刻Ｔ０、Ｔ１、Ｔ２、Ｔ３に対応した各血圧点（塗潰された小円各々の中心点を指す。）
Ｌ１、Ｌ２、Ｌ３    血圧点Ｊ１、Ｊ２、Ｊ３よりｘｙ平面に降ろした垂線
Ｋ１、Ｋ２、Ｋ３    垂線Ｌ１、Ｌ２、Ｌ３のｘｙ平面との交点
Ｉ０１、Ｉ１１、Ｉ２１、Ｉ３１    血圧点Ｊ０、Ｊ１、Ｊ２、Ｊ３よりｘ軸に降ろした垂線
Ｉ０２、Ｉ１２、Ｉ２２、Ｉ３２    血圧点Ｊ０、Ｊ１、Ｊ２、Ｊ３よりｙ軸に降ろした垂線
Ｍ０、Ｍ１、Ｍ２、Ｍ３    血圧点Ｊ０、Ｊ１、Ｊ２、Ｊ３とｚ軸上の値Ｔ０、Ｔ１、Ｔ２、Ｔ３を示す目盛りとを結ぶ直線
【図１】
2007000581.tif 000003